(57)【要約】【課題】部品を追加することなく、放熱性を向上させることを目的とする。【解決手段】バックライト１２は、複数の発光部品２２が搭載されて幅方向の両端にある第１側端３０及び第２側端３２が長さ方向に延びる長尺形状のフレキシブル配線基板２６を含む。複数の発光部品２２は、フレキシブル配線基板２６に、長さ方向に１列で並び、幅方向で第２側端３２の側にずれて位置し、第１側端３０の側に発光面２４を向けて配置されている。フレキシブル配線基板２６は、多層基板であって、複数層の配線パターン３６を有する。複数層の配線パターン３６は、複数の発光部品２２に接合される最上層の配線パターン３６Ｈを含む。最上層の配線パターン３６Ｈは、それぞれの発光部品２２と重なる領域から、フレキシブル配線基板２６の長さ方向に引き出され、さらに第１側端３０の側に発光面２４よりも前方に引き出される部分を有する。【選択図】図４Ａ
2014182165.tif 000002
【特許請求の範囲】
【請求項１】
液晶表示パネルと、
サイドライト方式のバックライトと、
を有し、
前記バックライトは、発光面をそれぞれが有する複数の発光部品と、前記複数の発光部品が搭載されて幅方向の両端にある第１側端及び第２側端が長さ方向に延びる長尺形状のフレキシブル配線基板と、を含み、
前記複数の発光部品は、前記フレキシブル配線基板に、前記長さ方向に１列で並び、前記幅方向で前記第２側端の側にずれて位置し、前記第１側端の側に前記発光面を向けて配置され、
前記フレキシブル配線基板は、多層基板であって、複数層の配線パターンを有し、
前記複数層の配線パターンは、前記複数の発光部品に接合される最上層の配線パターンを含み、
前記最上層の配線パターンは、それぞれの前記発光部品と重なる領域から、前記フレキシブル配線基板の前記長さ方向に引き出され、さらに前記第１側端の側に前記発光面よりも前方に引き出される部分を有することを特徴とする液晶表示装置。
【請求項２】
請求項１に記載された液晶表示装置において、
前記フレキシブル配線基板は、前記最上層の配線パターンと同層であるが分離された状態で、それぞれの前記発光部品に前記第１側端の側で隣り合うように配置された金属層を含み、
前記金属層は、前記複数の発光部品とは電気的に絶縁されていることを特徴とする液晶表示装置。
【請求項３】
請求項１又は２に記載された液晶表示装置において、
前記フレキシブル配線基板は、前記最上層の配線パターンを覆う絶縁層を有し、
前記絶縁層は、前記複数の発光部品との電気的接続のための複数の開口を有することを特徴とする液晶表示装置。
【請求項４】
請求項１から３のいずれか１項に記載された液晶表示装置において、
前記フレキシブル配線基板は、前記長さ方向の端部にコネクタを有し、
前記コネクタは、前記複数層の配線パターンによって、前記複数の発光部品に電気的に接続されていることを特徴とする液晶表示装置。
【請求項５】
請求項４に記載された液晶表示装置において、
前記複数の発光部品は、複数のグループに分けられ、それぞれの前記グループは同じ個数の前記発光部品を含み、
前記複数層の配線パターンは、それぞれの１つの前記グループに属する前記発光部品を並列接続し、異なる前記グループで配列の順番が同じ位置にある前記発光部品同士を直列接続することを特徴とする液晶表示装置。
【請求項６】
請求項５に記載された液晶表示装置において
前記複数層の配線パターンは、前記フレキシブル配線基板の前記長さ方向に延びる接続配線を含み、
前記最上層の前記配線パターン以外の少なくとも１層の前記配線パターンが、前記接続配線の少なくとも一部を含むことを特徴とする液晶表示装置。
【請求項７】
請求項６に記載された液晶表示装置において、
前記最上層の前記配線パターンが、前記接続配線の一部を含み、
前記最上層の前記配線パターンに含まれる前記接続配線の前記一部は、前記コネクタに最も近い前記グループの前記発光部品に前記第１側端の側で隣接する領域を通ることを特徴とする液晶表示装置。
【請求項８】
請求項７に記載された液晶表示装置において、
前記最上層の前記配線パターンに含まれる前記接続配線の前記一部は、前記コネクタに最も近い前記グループを除いた残りの前記グループの前記発光部品に前記第１側端の側で隣接する領域を避けて通ることを特徴とする液晶表示装置。
【発明の詳細な説明】
【技術分野】
【０００１】
本発明は、液晶表示装置に関する。
【背景技術】
【０００２】
サイドライト式のバックライトを備える液晶表示装置では、製品をコンパクト化するために、複数の発光ダイオードをフレキシブル配線基板に集中して搭載してある。そのため、発光ダイオードの熱が集中する領域があり、熱によって光学シートにうねりが発生して、画面品位の低下が生じることがあった。
【０００３】
スマートフォンなど携帯用途の液晶表示装置は、タッチパネルを付加した上で、高精細化と野外視認性がさらに求められているので、バックライトの一層の高輝度化が要求されている。そのため、発光ダイオードの数を増加する必要があり、狭い筺体内に収める必要から、発光ダイオードの配置は緻密となり、発熱量は増加せざるを得ない。
【先行技術文献】
【特許文献】
【０００４】
【特許文献１】特許第４２３８９２１号公報
【特許文献２】特開２０１０−４４１１６号公報
【発明の概要】
【発明が解決しようとする課題】
【０００５】
特許文献１には、発光素子と電気的に非導通である放熱用端子を設けて放熱を図ることが開示されている。特許文献２には、液晶表示パネルの側面部分とＦＰＣ（Flexible Printed Circuits）を柔らかい熱伝導性接着剤にて接続することが開示されている。しかし、これらは、放熱のために部品を追加しているのでコストが増加することになる。
【０００６】
本発明は、部品を追加することなく、放熱性を向上させることを目的とする。
【課題を解決するための手段】
【０００７】
（１）本発明に係る液晶表示装置は、液晶表示パネルと、サイドライト方式のバックライトと、を有し、前記バックライトは、発光面をそれぞれが有する複数の発光部品と、前記複数の発光部品が搭載されて幅方向の両端にある第１側端及び第２側端が長さ方向に延びる長尺形状のフレキシブル配線基板と、を含み、前記複数の発光部品は、前記フレキシブル配線基板に、前記長さ方向に１列で並び、前記幅方向で前記第２側端の側にずれて位置し、前記第１側端の側に前記発光面を向けて配置され、前記フレキシブル配線基板は、多層基板であって、複数層の配線パターンを有し、前記複数層の配線パターンは、前記複数の発光部品に接合される最上層の配線パターンを含み、前記最上層の配線パターンは、それぞれの前記発光部品と重なる領域から、前記フレキシブル配線基板の前記長さ方向に引き出され、さらに前記第１側端の側に前記発光面よりも前方に引き出される部分を有することを特徴とする。本発明によれば、発熱しやすい発光面が向く方向に、最上層の配線パターンが延びているので、部品を追加することなく、放熱性を向上させることができる。
【０００８】
（２）（１）に記載された液晶表示装置において、前記フレキシブル配線基板は、前記最上層の配線パターンと同層であるが分離された状態で、それぞれの前記発光部品に前記第１側端の側で隣り合うように配置された金属層を含み、前記金属層は、前記複数の発光部品とは電気的に絶縁されていることを特徴としてもよい。
【０００９】
（３）（１）又は（２）に記載された液晶表示装置において、前記フレキシブル配線基板は、前記最上層の配線パターンを覆う絶縁層を有し、前記絶縁層は、前記複数の発光部品との電気的接続のための複数の開口を有することを特徴としてもよい。
【００１０】
（４）（１）から（３）のいずれか１項に記載された液晶表示装置において、前記フレキシブル配線基板は、前記長さ方向の端部にコネクタを有し、前記コネクタは、前記複数層の配線パターンによって、前記複数の発光部品に電気的に接続されていることを特徴としてもよい。
【００１１】
（５）（４）に記載された液晶表示装置において、前記複数の発光部品は、複数のグループに分けられ、それぞれの前記グループは同じ個数の前記発光部品を含み、前記複数層の配線パターンは、それぞれの１つの前記グループに属する前記発光部品を並列接続し、異なる前記グループで配列の順番が同じ位置にある前記発光部品同士を直列接続することを特徴としてもよい。
【００１２】
（６）（５）に記載された液晶表示装置において、前記複数層の配線パターンは、前記フレキシブル配線基板の前記長さ方向に延びる接続配線を含み、前記最上層の前記配線パターン以外の少なくとも１層の前記配線パターンが、前記接続配線の少なくとも一部を含むことを特徴としてもよい。
【００１３】
（７）（６）に記載された液晶表示装置において、前記最上層の前記配線パターンが、前記接続配線の一部を含み、前記最上層の前記配線パターンに含まれる前記接続配線の前記一部は、前記コネクタに最も近い前記グループの前記発光部品に前記第１側端の側で隣接する領域を通ることを特徴としてもよい。
【００１４】
（８）（７）に記載された液晶表示装置において、前記最上層の前記配線パターンに含まれる前記接続配線の前記一部は、前記コネクタに最も近い前記グループを除いた残りの前記グループの前記発光部品に前記第１側端の側で隣接する領域を避けて通ることを特徴としてもよい。
【図面の簡単な説明】
【００１５】
【図１】本発明の実施形態に係る液晶表示装置のバックライトを示す平面図である。
【図２】図１に示すバックライトのII−II線に沿った拡大断面図である。
【図３】フレキシブル配線基板の平面図である。
【図４Ａ】図３に示すフレキシブル配線基板のIVで示す部分の最上層を示す拡大図である。
【図４Ｂ】図３に示すフレキシブル配線基板のIVで示す部分の下層を示す図である。
【図５Ａ】図３に示すフレキシブル配線基板のＶで示す部分の最上層を示す拡大図である。
【図５Ｂ】図３に示すフレキシブル配線基板のＶで示す部分の下層を示す図である。
【図６】最上層の配線パターンの回路図である。
【図７】下層の配線パターンの回路図である。
【図８】複数層の配線パターン全体の回路図である。
【発明を実施するための形態】
【００１６】
以下、本発明の実施形態について図面を参照して説明する。
【００１７】
図１は、本発明の実施形態に係る液晶表示装置のバックライトを示す平面図である。図２は、図１に示すバックライトのII−II線に沿った拡大断面図である。
【００１８】
液晶表示装置は、図２に仮想線で示すように液晶表示パネル１０を有する。液晶表示パネル１０を背面から照らすのがバックライト１２である。バックライト１２は、導光板１４を含む。導光板１４の表面は、液晶表示パネル１０の背面に対向する。液晶表示パネル１０と導光板１４の間には、光学シート１６が配置されている。光学シート１６は、拡散シート及びプリズムシートなどを含む。また、導光板１４の下（光学シート１６とは反対側）には反射シート１８が配置されている。バックライト１２は、例えば金属製のフレーム２０を含む。フレーム２０は、導光板１４を内側に収納している。
【００１９】
バックライト１２は、複数の発光部品２２を含む。発光部品２２は、例えば発光ダイオードである。発光部品２２は、導光板１４に光を導入するための点光源である。点光源からの光が導光板１４で面光源に変換されて液晶表示パネル１０に照射される。発光部品２２は発光面２４を有し、発光面２４が導光板１４の端面に対向する。バックライト１２は、サイドライト方式である。
【００２０】
バックライト１２は、フレキシブル配線基板２６を含む。フレキシブル配線基板２６に発光部品２２が搭載されており、発光部品２２の熱がフレキシブル配線基板２６に伝わるようになっている。その熱を発散するために、フレキシブル配線基板２６の外側に放熱材２８が設けられている。
【００２１】
図３は、フレキシブル配線基板２６の平面図である。フレキシブル配線基板２６は長尺形状になっており、幅方向の両端にある第１側端３０及び第２側端３２が長さ方向に延びる。フレキシブル配線基板２６は、長さ方向の端部にコネクタ３４を有する。フレキシブル配線基板２６は、多層基板である。
【００２２】
図４Ａは、図３に示すフレキシブル配線基板２６のIVで示す部分の最上層を示す拡大図である。図４Ｂは、図３に示すフレキシブル配線基板２６のIVで示す部分の下層を示す図である。
【００２３】
図５Ａは、図３に示すフレキシブル配線基板２６のＶで示す部分の最上層を示す拡大図である。図５Ｂは、図３に示すフレキシブル配線基板２６のＶで示す部分の下層を示す図である。
【００２４】
フレキシブル配線基板２６は、複数層の配線パターン３６を有する。本実施形態では、複数層の配線パターン３６は、図４Ａ及び図５Ａに示す最上層の配線パターン３６Ｈと、図４Ｂ及び図５Ｂに示す下層の配線パターン３６Ｌであり、両者は基板の両面に形成されている。最上層の配線パターン３６Ｈと下層の配線パターン３６Ｌは、スルーホール３８で電気的に接続されている。コネクタ３４は、複数層の配線パターン３６に電気的に接続されている。
【００２５】
最上層の配線パターン３６Ｈは、複数の発光部品４２と電気的な接合を行うための複数の接合部４０（端子）を有する。最上層の配線パターン３６Ｈは、絶縁層４２によって覆われている。絶縁層４２は、複数の接合部４０を露出させるための複数の開口４４を有する。最上層の配線パターン３６Ｈは、接合部４０から、フレキシブル配線基板２６の長さ方向（図４Ａ及び図５Ａで左右方向）に引き出され、さらに第１側端３０の側（図４Ａ及び図５Ａで上方向）に引き出されている。
【００２６】
フレキシブル配線基板２６は、金属層４６を有する。金属層４６は、最上層の配線パターン３６Ｈと同層であるが分離された状態になっている。金属層４６は、接合部４０に、第１側端３０の側で隣り合うように配置されている。
【００２７】
複数層の配線パターン３６は、図４Ｂ及び図５Ｂに示すように、フレキシブル配線基板２６の長さ方向に延びる接続配線４８を含む。詳しくは、最上層以外の少なくとも１層の配線パターン３６Ｌが接続配線４８Ｌを有する。さらに、図５Ｂに示すように、最上層の配線パターン３６Ｈも、フレキシブル配線基板２６の長さ方向に延びる接続配線４８Ｈを有する。
【００２８】
図４Ａ及び図５Ａに仮想線で示すように、フレキシブル配線基板２６に複数の発光部品２２が搭載される。複数の発光部品２２は、フレキシブル配線基板２６の長さ方向に１列で並ぶ。複数の発光部品２２は、フレキシブル配線基板２６の幅方向で第２側端３２の側にずれて位置する。複数の発光部品２２は、フレキシブル配線基板２６の第１側端３０の側に発光面２４を向けて配置される。
【００２９】
複数の発光部品２２は、最上層の配線パターン３６Ｈの複数の接合部４０に接合される。絶縁層４２に形成された開口４４を通して、接合部４０と発光部品２２が電気的に接続される。１つの発光部品２２が図示しない一対の電極を有しており、１つの電極が１つの接合部４０に接合される。複数の発光部品２２は、複数層の配線パターン３６によって、コネクタ３４に電気的に接続される。
【００３０】
図６は、最上層の配線パターン３６Ｈの回路図である。図７は、下層の配線パターン３６Ｌの回路図である。最上層の配線パターン３６Ｈと下層の配線パターン３６Ｌは、スルーホール３８で接続されているので、複数層の配線パターン３６全体で回路が構成される。
【００３１】
図８は、複数層の配線パターン３６全体の回路図である。フレキシブル配線基板２６に搭載された複数の発光部品２２は、複数のグループＧ１〜Ｇ５に分けられる。図６に示す配置で説明すると、最も左にある発光部品２２から順に、複数の発光部品２２を、同じ個数（６個）ごとに、複数のグループＧ１〜Ｇ５に分ける。グループＧ１〜Ｇ５のそれぞれは、同じ個数（６個）の発光部品２２を含む。
【００３２】
図８に示すように、同じグループＧ１〜Ｇ５（いずれか１つ）に属する発光部品２２は並列接続されている。並列接続は、図６及び図７に示すように、スルーホール３８で接続された最上層の配線パターン３６Ｈ及び下層の配線パターン３６Ｌによって図られている。
【００３３】
図８に示すように、異なるグループＧ１〜Ｇ５（複数）で、配列の順番が同じ位置にある発光部品２２は直列接続されている。例えば、図６に示す異なるグループＧ１〜Ｇ５のそれぞれにおいて、最も左にある発光部品２２Ｇ１〜２２Ｇ５（５つ）は、スルーホール３８で接続された最上層の配線パターン３６Ｈ及び下層の配線パターン３６Ｌによって、直列接続されている。
【００３４】
図６を参照して分かるように、図３のIVで指す部分を拡大した図４Ａには、コネクタ３４から最も離れたグループＧ１の発光部品２２が示され、図３のＶで指す部分を拡大した図５Ａには、コネクタ３４に最も近いグループＧ５の発光部品２２が示されている。
【００３５】
図５Ａに示すように、最上層の配線パターン３６Ｈに含まれる接続配線４８Ｈは、コネクタ３４に最も近いグループＧ５の発光部品２２に、第１側端３０の側で隣接する領域を通る。最上層の配線パターン３６Ｈに含まれる接続配線４８Ｈは、図４Ａに示す領域には形成されていない。つまり、最上層の配線パターン３６Ｈに含まれる接続配線４８Ｈは、コネクタ３４に最も近いグループＧ５を除いた残りのグループＧ１〜Ｇ４の発光部品２２に第１側端３０の側で隣接する領域は通らないようになっている。
【００３６】
最上層の配線パターン３６Ｈは、それぞれの発光部品２２と重なる領域から、フレキシブル配線基板２６の長さ方向（図４Ａ及び図５Ａで左右方向）に引き出され、さらに第１側端３０の側に発光面２４よりも前方に引き出される部分を有する。
【００３７】
本実施形態によれば、発熱しやすい発光面２４が向く方向に、最上層の配線パターン３６Ｈが延びているので、部品を追加することなく、放熱性を向上させることができる。金属層４６は、それぞれの発光部品２２に、第１側端３０の側で隣り合うように配置されている。金属層４６も放熱性の向上に寄与している。金属層４６は、複数の発光部品２２とは電気的に絶縁されている。
【００３８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３９】
１０  液晶表示パネル、１２  バックライト、１４  導光板、１６  光学シート、１８  反射シート、２０  フレーム、２２  発光部品、２４  発光面、２６  フレキシブル配線基板、２８  放熱材、３０  第１側端、３２  第２側端、３４  コネクタ、３６  複数層の配線パターン、３６Ｈ  最上層の配線パターン、３６Ｌ  下層の配線パターン、３８  スルーホール、４０  接合部、４２  絶縁層、４４  開口、４６  金属層、４８  接続配線、４８Ｈ  接続配線、４８Ｌ  接続配線。
【図１】
2014182165.tif 000003
【図２】
2014182165.tif 000004
【図３】
2014182165.tif 000005
【図４Ａ】
2014182165.tif 000006
【図４Ｂ】
2014182165.tif 000007
【図５Ａ】
2014182165.tif 000008
【図５Ｂ】
2014182165.tif 000009
【図６】
2014182165.tif 000010
【図７】
2014182165.tif 000011
【図８】
2014182165.tif 000012